(57)【要約】【課題】従来のファイリングバインダーと同じように内容物の綴じ込み、取り外し及び交換が容易で、しかも外側に鋲などの止め具が露出せず、高級感を与える製本式ファイリングバインダーを提供する。【解決手段】表表紙部１５、裏表紙部１６及びこれらを連結する幅狭の背表紙部１７とを備えた表紙１１と、それぞれ片側が表表紙部１５及び裏表紙部１６の裏面に貼着された第１、第２の見返し用紙１２、１３と、第１、第２の見返し用紙１２、１３の中央の折り返し部１９、２０に、その左右の回動片２１、２２が固定された綴じ具１４とを有する。【選択図】　　　　図１
2004017608.tif 000002
【特許請求の範囲】
【請求項１】
表表紙部、裏表紙部及びこれらを連結する幅狭の背表紙部とを備えた表紙と、
それぞれ片側が前記表表紙部及び前記裏表紙部の裏面に貼着された第１、第２の見返し用紙と、
前記第１、第２の見返し用紙の中央の折り返し部に、その左右の回動片が固定された綴じ具とを有することを特徴とする製本式ファイリングバインダー。
【請求項２】
請求項１記載の製本式ファイリングバインダーにおいて、前記綴じ具は、前記左右の回動片と、該左右の回動片を回動自在に連結する連結片と、前記左右の回動片の一方にその端部が固定された複数の連結ピンと、前記左右の回動片の他方に設けられ前記連結ピンの頂部が嵌入して仮止めされる係合部とを有することを特徴とする製本式ファイリングバインダー。
【請求項３】
請求項１又は２記載の製本式ファイリングバインダーにおいて、前記第１、第２の見返し用紙は、十分強度を有する紙材からなって、しかも、前記表表紙部及び前記裏表紙部の裏面にその端部から隙間を有して貼着されていることを特徴とする製本式ファイリングバインダー。
【発明の詳細な説明】
【０００１】
【発明の属する技術分野】
本発明は、例えばインクジェットプリンター等で出力した写真、文字等が印刷された所定サイズの用紙、その他の紙やシートを簡単に綴じ込みが可能な上製本仕様の製本式ファイリングバインダーに関する。
【０００２】
【従来の技術】
従来より各種のファイリングバインダーが市販されているが、片側の所定位置に複数の貫通孔が設けられた用紙を綴じる綴じ具と、綴じ具全体及びこの綴じ具に綴じた用紙を内側にして覆う表紙とを備え、この表紙の綴じ具が鋲等で固定されていた。
また、通常の書籍や卒業記念アルバムにおいては、表表紙部及び裏表紙部の裏面側にそれぞれ見返し用紙が貼着され、表表紙部及び裏表紙部の裏面側の装飾を図ると共に、内容物である書籍本体やアルバム本体を表表紙部及び裏表紙部及びこれらを連結する背表紙部に固定する役目を果たしている。
【０００３】
【発明が解決しようとする課題】
しかしながら、従来のファイリングバインダーにおいては、綴じ具を表紙に固定する鋲等の止め具が外側に露出し、見た目が悪いという問題があり、例えばこのようなファイリングバインダーを用いて卒業記念用のアルバムを作成すると、雑で安っぽく感じるという問題があった。
一方、書籍等においては内容物である書籍本体は、表紙に固定され簡単に取り外したり追補することが困難であるという問題があった。
本発明はかかる事情に鑑みてなされたもので、従来のファイリングバインダーと同じように内容物の綴じ込み、取り外し及び交換が容易で、しかも外側に鋲などの止め具が露出せず、高級感を与える製本式ファイリングバインダーを提供することを目的とする。
【０００４】
【課題を解決するための手段】
前記目的に沿う第１の発明に係る製本式ファイリングバインダーは、表表紙部、裏表紙部及びこれらを連結する幅狭の背表紙部とを備えた表紙と、それぞれ片側が前記表表紙部及び前記裏表紙部の裏面に貼着された第１、第２の見返し用紙と、前記第１、第２の見返し用紙の中央の折り返し部に、その左右の回動片が固定された綴じ具とを有する。
また、第２の発明に係る製本式ファイリングバインダーは、第１の発明に係る製本式ファイリングバインダーにおいて、前記綴じ具は、前記左右の回動片と、該左右の回動片を回動自在に連結する連結片と、前記左右の回動片の一方にその端部が固定された複数の連結ピンと、前記左右の回動片の他方に設けられ前記連結ピンの頂部が嵌入して仮止めされる係合部とを有する。
そして、第３の発明に係る製本式ファイリングバインダーは、第１、第２の発明に係る製本式ファイリングバインダーにおいて、前記第１、第２の見返し用紙は、十分強度を有する紙材からなって、しかも、前記表表紙部及び前記裏表紙部の裏面にその端部から隙間を有して貼着されている。
【０００５】
【発明の実施の形態】
続いて、添付した図面を参照しつつ、本発明を具体化した実施の形態につき説明し、本発明の理解に供する。
ここに、図１は本発明の一実施の形態に係る製本式ファイリングバインダーの斜視図、図２は同製本式ファイリングバインダーの正面図である。
【０００６】
図１、図２に示すように本発明の一実施の形態に係る製本式ファイリングバインダー１０は、ハードカバーからなる表紙１１と、表紙１１の内側にその片側が貼着された第１、第２の見返し用紙１２、１３と、第１、第２の見返し用紙１２、１３に固定された綴じ具１４と有している。以下、これらについて詳細に説明する。
【０００７】
この実施の形態においては、表紙１１は、所謂ハードカバーからなって、それぞれ厚紙の芯材を有する表表紙部１５、裏表紙部１６、及び表表紙部１５と裏表紙部１６を連結する幅狭の背表紙部１７とを有し、これらの表側は一枚連続したカバーシート１８で覆われている。なお、このカバーシート１８の代わりに複数枚のシートを接いだりあるいは重ねて構成する場合もある。このカバーシート１８は表表紙部１５及び裏表紙部１６の端部で折り曲げられてそれぞれの裏側まで延設されている。そして、このカバーシート１８の折り返し部分を第１、第２の見返し用紙１２、１３の片側半分、即ち表表紙部１５は第１の見返し用紙１２の左側半分、裏表紙部１６は第２の見返し用紙１３の右側半分が覆っている。この第１、第２の見返し用紙１２、１３の片側全面が表表紙部１５、裏表紙部１６の裏面側に貼着されている。
第１、第２の見返し用紙１２、１３は、十分強度を有する紙材、例えば、３０〜１００枚程度の写真を綴じ具１４に固定しても、見返し用紙自体で、綴じ具１４を支えることができ、破れない程度の強度を有する紙（合成樹脂シートを含む）からなって、この実施の形態では、その半分の大きさが表表紙部１５及び裏表紙部１６の大きさより小さくなって、表表紙部１５の上下端部及び左側端部、並びに裏表紙部１６の上下端部及び右側端部に、例えば０．２〜１ｃｍ程度のカバーシート１８が露出した隙間が設けられている。
【０００８】
第１、第２の見返し用紙１２、１３は中央で２つ折されて、その折り返し部１９、２０の自由側にプラスチック製（この実施の形態ではＰＰ）の綴じ具１４の左右の回動片２１、２２が貼着されている。左右の回動片２１、２２の幅は比較的狭く（例えば、１〜２．５ｃｍ）、幅狭の連結片２３で連結されている。連結片２３と回動片２１の接続部２４は、適当長さの細長開口部２４ａを有するヒンジ構造となって連結片２３に対して回動片２１が自由に折り曲がるようになっている。また、連結片２３と回動片２２との接続部２５も、細長開口部２５ａを有するヒンジ構造になって、自由に折り曲げることができるようになっている。ここで、細長開口部２４ａ、２５ａは省略することもできる。
なお、回動片２１、２２の糊付け面は平面状となって円滑に見返し用紙１２、１３と接着可能となっている。また、連結片を省略して左右の回動片を直接折り曲げ可能にすることもできる。
【０００９】
回動片２１には、綴じようとする用紙２６の端部の所定位置に設けられた貫通孔２７に挿通する４本の連結ピン２８の基部が固定されている。また、回動片２２には４本の連結ピン２８の頂部２９が掛止状態（仮止め）で嵌入する係合部３０が設けられている。従って、この綴じ具１４においては、連結ピン２８が用紙２６の貫通孔２７に挿通し、連結ピン２８の頂部２９を係合部３０に装着することによって、用紙２６をこの綴じ具１４に綴じ込むことができるようになっている。
なお、連結ピン２８の頂部２９は拡径し、奥側が広くなった係合部３０に嵌入して一時止めされている。
【００１０】
用紙２６はこの実施の形態では、通常のインクジェットプリンターによって印刷される少し厚めの写真用用紙からなって、その表面には例えば卒業アルバム用の写真及び文字が印刷されている。
この実施の形態では、用紙２６は片面印刷であるが、用紙に両面印刷のものを使用できる。更には、表表紙部１５及び裏表紙部１６には、綴じ具１４を固定する鋲等は露出していないので、通常の卒業アルバムと同じような感覚でこの製本式ファイリングバインダー１０を楽しむことができる。
【００１１】
前記実施の形態に係る製本式ファイリングバインダー１０においては、連結ピン２８は４本であったが、２本あるいは６本以上であっても本発明は適用される。更に、係合部３０は、この実施の形態では回動片２２の所定位置に設けられた奥側に広い穴によって形成したが、連結ピン２８の頂部２９を一時固定できる構造のものであれば、他の構造であってもよいし、回動片２２から突出したピンの頂部に設けてもよい。これによって、実質的に用紙を綴じる連結ピンの長さを長くしてより多数枚の用紙を綴じることがてきる。なお、連結ピンの長さと連結片の長さは、実質的に同一とするのがより好ましい。また、回動片２１、２２はこの実施の形態において、それぞれ１つの片によって構成したが、複数分割して構成することもできる。
【００１２】
【発明の効果】
請求項１〜３記載の製本式ファイリングバインダーは、表表紙部、裏表紙部及びこれらを連結する幅狭の背表紙部とを備えた表紙と、それぞれ片側が表表紙部及び裏表紙部の裏面に貼着された第１、第２の見返し用紙と、第１、第２の見返し用紙の中央の折り返し部に、その左右の回動片が固定された綴じ具とを有しているので、表紙の表側に綴じ具を固定する鋲等が露出せず、結果として見栄えのよい、外観からは通常の本のように見える製本式ファイリングバインダーを提供できる。
更には、内容を印刷した内部の用紙（紙、合成樹脂、袋状のものを含む）はバインダーで綴じられているので、追加や交換が容易である。
特に、請求項２記載の製本式ファイリングバインダーは、綴じ具は、左右の回動片と、左右の回動片を回動自在に連結する連結片と、左右の回動片の一方にその端部が固定された複数の連結ピンと、左右の回動片の他方に設けられ連結ピンの頂部が嵌入して仮止めされる係合部とを有するので、用紙の取付け、交換、通過が容易である。
また、請求項３記載の製本式ファイリングバインダーは、第１、第２の見返し用紙は、十分強度を有する紙材からなって、しかも、表表紙部及び裏表紙部の裏面にその端部から隙間を有して貼着されているので、長期の寿命を有して、その製作も容易である。
【図面の簡単な説明】
【図１】本発明の一実施の形態に係る製本式ファイリングバインダーの斜視図である。
【図２】同製本式ファイリングバインダーの正面図である。
【符号の説明】
１０：製本式ファイリングバインダー、１１：表紙、１２：第１の見返し用紙、１３：第２の見返し用紙、１４：綴じ具、１５：表表紙部、１６：裏表紙部、１７：背表紙部、１８：カバーシート、１９、２０：折り返し部、２１、２２：回動片、２３：連結片、２４：接続部、２４ａ：細長開口部、２５：接続部、２５ａ：細長開口部、２６：用紙、２７：貫通孔、２８：連結ピン、２９：頂部、３０：係合部
【図１】
2004017608.tif 000003
【図２】
2004017608.tif 000004